【手続補正書】
【提出日】平成27年10月5日(2015.10.5)
【手続補正１】
【補正対象書類名】特許請求の範囲
【補正対象項目名】全文
【補正方法】変更
【補正の内容】
【特許請求の範囲】
【請求項１】
遊技の進行に応じて遊技の当り外れを判定する当否判定手段と、
表示部と、
前記表示部に、前記当否判定手段による判定結果に応じた判定演出を表示させると共に、前記判定結果が当りの場合には、その当りの判定演出後に行われる特別遊技の実行期間中に特別遊技演出を表示させる表示演出制御手段と、を備え、
前記当りには、遊技者に有利な特典を付与可能な第１の前記特別遊技が実行される第１当りと、前記特典の付与が困難な第２の前記特別遊技が実行される第２当りとが設けられた遊技機において、
前記判定演出には、図柄を変動表示した後、停止表示して、その図柄の停止態様により前記判定結果を表示する図柄変動演出と、前記図柄変動演出に組み合わせて表示される特殊演出とが設けられ、
前記表示演出制御手段は、前記判定結果が前記第２当りの場合には、その第２当りの判定演出の開始から前記第２の特別遊技の終了までの間、前記判定結果が外れのときの前記判定演出のうち特定の外れ判定演出における前記特殊演出と演出内容が共通する共通演出を表示させると共に、前記特定の外れ判定演出及び前記第２当りの判定演出における前記図柄変動演出で、前記図柄を縮小表示させ、
前記特定の外れ判定演出における前記特殊演出と前記共通演出とは共に、前記図柄変動演出において前記図柄と共に表示される表示体を変更する変更演出であって、
前記変更演出は、前記表示体が変更されることを示唆する事前演出と、前記表示体が変更中であることを示唆する変更中演出と、前記変更演出の終了を示唆する事後演出と、で構成され、
前記変更中演出は、所定の演出内容が繰り返し表示される繰り返し演出であることを特徴とする遊技機。
【請求項２】
前記表示演出制御手段は、前記第２の特別遊技の前記特別遊技演出で前記図柄を非表示にすることを特徴とする請求項１に記載の遊技機。
【請求項３】
前記第１の特別遊技の終了後には、通常遊技状態よりも遊技者に有利な特典遊技状態へ移行する一方、前記第２の特別遊技の終了後には、前記通常遊技状態へ移行するように構成されたことを特徴とする請求項１又は２に記載の遊技機。
【手続補正２】
【補正対象書類名】明細書
【補正対象項目名】０００６
【補正方法】変更
【補正の内容】
【０００６】
上記目的を達成するためになされた請求項１の発明に係る遊技機は、遊技の進行に応じて遊技の当り外れを判定する当否判定手段と、表示部と、表示部に、当否判定手段による判定結果に応じた判定演出を表示させると共に、判定結果が当りの場合には、その当りの判定演出後に行われる特別遊技の実行期間中に特別遊技演出を表示させる表示演出制御手段と、を備え、当りには、遊技者に有利な特典を付与可能な第１の特別遊技が実行される第１当りと、特典の付与が困難な第２の特別遊技が実行される第２当りとが設けられた遊技機において、判定演出には、図柄を変動表示した後、停止表示して、その図柄の停止態様により判定結果を表示する図柄変動演出と、図柄変動演出に組み合わせて表示される特殊演出とが設けられ、表示演出制御手段は、判定結果が第２当りの場合には、その第２当りの判定演出の開始から第２の特別遊技の終了までの間、判定結果が外れのときの判定演出のうち特定の外れ判定演出における特殊演出と演出内容が共通する共通演出を表示させると共に、特定の外れ判定演出及び第２当りの判定演出における図柄変動演出で、図柄を縮小表示させ、特定の外れ判定演出における特殊演出と共通演出とは共に、図柄変動演出において図柄と共に表示される表示体を変更する変更演出であって、変更演出は、表示体が変更されることを示唆する事前演出と、表示体が変更中であることを示唆する変更中演出と、変更演出の終了を示唆する事後演出と、で構成され、変更中演出は、所定の演出内容が繰り返し表示される繰り返し演出であるところに特徴を有する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２の発明は、請求項１に記載の遊技機において、表示演出制御手段は、第２の特別遊技の特別遊技演出で図柄を非表示にするところに特徴を有する。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
請求項３の発明は、請求項１又は２に記載の遊技機において、第１の特別遊技の終了後には、通常遊技状態よりも遊技者に有利な特典遊技状態へ移行する一方、第２の特別遊技の終了後には、通常遊技状態へ移行するように構成されたところに特徴を有する。
【手続補正８】
【補正対象書類名】明細書
【補正対象項目名】００１３
【補正方法】変更
【補正の内容】
【００１３】
また、本発明によれば、特定の外れ判定演出及び第２当りの判定演出では共に、図柄の停止態様によって判定結果を表示する図柄変動演出の図柄が縮小表示されるので、図柄の停止態様から第２当りと外れの区別が困難となる。しかも、特定の外れ判定演出において図柄変動演出に組み合わせて表示される特殊演出が、第２当りの判定演出の開始から第２の特別遊技が終了するまでの間の共通演出として表示されるので、判定結果が第２当りの場合と外れの場合との区別が一層困難となる。これらにより、第２当りとなったことを遊技者に一層気付かれ難くすることが可能となり、遊技者に不快感を与えることを一層抑制することが可能となる。
さらに、本発明によれば、第２当りのときの共通演出と特定の外れ判定演出における特殊演出との間で演出時間が異なる場合であっても、所定の演出内容が繰り返される繰り返し演出の演出時間を調整することで、演出内容のズレを低減することが可能となる。
しかも、本発明によれば、遊技者の関心を変更後の表示体に向けさせて、第２当りとなったことを遊技者に気付かれ難くすることが可能となる。
【手続補正９】
【補正対象書類名】明細書
【補正対象項目名】００１４
【補正方法】変更
【補正の内容】
【００１４】
［請求項２の発明］
請求項２の発明では、第２の特別遊技の実行期間中、図柄が非表示となるので、図柄が停止表示されたままの場合と比較して、第２当りとなったことを遊技者に気付かれ難くすることが可能となる。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
［請求項３の発明］
請求項３の発明によれば、第１の特別遊技では、その特別遊技終了後、通常遊技状態よりも遊技者に有利な特典遊技状態へ移行するのに対し、第２の特別遊技では、通常遊技状態へ移行するので、第２当りとなったことを遊技者に気付かれ難くすることで、第２の特別遊技終了後の遊技状態についても遊技者に過度の期待を抱かせることが抑えることが可能となる。
【手続補正１３】
【補正対象書類名】明細書
【補正対象項目名】００９７
【補正方法】変更
【補正の内容】
【００９７】
なお、本発明の技術的範囲には属しないが、上記実施形態において、本発明の「共通演出」及び「特定の外れ判定演出における特殊演出」を、表示画面３０Ｇに表示されるキャラクターがミッションに挑戦するミッション演出や、上記キャラクターが敵キャラクターと対戦するバトル演出等としてもよい。この場合であっても、上記実施形態と同様に、２Ｒ通常当りとなったことを遊技者に気付かれ難くすることが可能となり、２Ｒ通常当りとなったときに、遊技者に過度の期待を抱かせることを抑えて、遊技者に不快感を与えることが抑制可能となる。
【手続補正１４】
【補正対象書類名】図面
【補正対象項目名】図５
【補正方法】変更
【補正の内容】
【図５】
2015186640.tif 000001